(57)【要約】歯根を取り外す装置。装置は、歯根に螺合するためのネジ先、及びネジ付きシャフトを有するリードネジと、リードネジが通過するボアを含む旋回部材であって、リードネジは、リードネジのネジ付きシャフトとのネジ部材の回転係合によってボアを通じて螺退可能である、旋回部材と、リードネジがプラットフォームに対して旋回することが可能であるように旋回部材を支持するためのプラットフォームと、を含む。リードネジは、ネジ付きシャフトとのネジ部材の回転係合の間のリードネジの回転を防止するための係止面を含む。【選択図】図３８
2021513439.tif 000002
【特許請求の範囲】
【請求項１】
歯根を取り外す装置であって、
前記歯根に螺合するためのネジ先、及びネジ付きシャフトを有するリードネジと、
前記リードネジが通過するボアを含む旋回部材であって、前記リードネジは、前記リードネジの前記ネジ付きシャフトとのネジ部材の回転係合によって前記ボアを通じて螺退可能である、前記旋回部材と、
前記リードネジが前記プラットフォームに対して旋回することが可能であるように前記旋回部材を支持するためのプラットフォームと、を備え、
前記リードネジは、前記ネジ付きシャフトとの前記ネジ部材の回転係合の間の前記リードネジの回転を防止するための係止面を含む、前記装置。
【請求項２】
前記ネジ部材は、前記リードネジに対する前記旋回部材の前記少なくとも一部の回転によって、前記リードネジが前記ボアを通じて螺退するように、前記旋回部材の少なくとも一部を含む、請求項１に記載の装置。
【請求項３】
前記係止面は、前記リードネジの端において係止面を含む、請求項１に記載の装置。
【請求項４】
前記係止面は、前記ネジ付きシャフトの側面上に平面を含む、請求項１に記載の装置。
【請求項５】
前記平面は、前記ネジ付きシャフトの長さに沿って実質的に延びる、請求項４に記載の装置。
【請求項６】
前記平面は、前記リードネジの回転を防止するよう、前記旋回部材の開孔部と係合するように構成される、請求項４に記載の装置。
【請求項７】
前記プラットフォームは、湾曲凹部を有し、前記湾曲凹部は、その下部に開口部を有し、前記リードネジは、前記湾曲凹部内の前記開口部を通過し、前記旋回部材は、前記プラットフォーム内で前記湾曲凹部に相補形状の湾曲領域を含み、前記旋回部材の前記湾曲領域は、前記プラットフォームの前記湾曲凹部内で受けられる、請求項１に記載の装置。
【請求項８】
前記旋回部材の前記湾曲領域は、半球状領域を含む、請求項７に記載の装置。
【請求項９】
前記旋回部材は、第１の支持部及び第２の支持部を有するジンバル部分を含み、前記ジンバル部分は、前記第１の支持部及び前記第２の支持部の軸の周りで旋回可能である、請求項１に記載の装置。
【請求項１０】
前記旋回部材は、第１のジンバル部分及び第２のジンバル部分を含み、前記第１のジンバル部分及び前記第２のジンバル部分は、直交する軸の周りで回転可能である、請求項９に記載の装置。
【請求項１１】
前記プラットフォームは、前記ジンバル部分の支持部が受けられる溝付きチャネルを含み、前記溝付きチャネルは、前記支持部が前記チャネルに沿って縦方向に進行することを可能にすることによって、前記ジンバル部分が前記支持部の軸に垂直な軸の周りで旋回することを可能にする、請求項９に記載の装置。
【請求項１２】
前記溝付きチャネルは、使用中のときに前記湾曲凹部の周りの前記ジンバルの回転を防止するように構成される、請求項１１に記載の装置。
【請求項１３】
複数の溝付きチャネルは、湾曲凹部の周囲の周りに位置付けられ、前記溝付きチャネルのうちの１つ以上に前記支持部を位置付けることによって、前記湾曲凹部の周りでの前記ジンバル部分の回転を可能にする、請求項１１に記載の装置。
【請求項１４】
前記プラットフォームは、前記ジンバル部分の支持部が受けられる保持開孔部を含む、請求項１０に記載の装置。
【請求項１５】
複数の保持開孔部は、湾曲凹部の周囲の周りに位置付けられ、前記保持開孔部のペアに前記支持部を位置付けることによって、前記湾曲凹部の周りでの前記ジンバル部分の回転を可能にする、請求項１４に記載の装置。
【請求項１６】
前記旋回部材は、ネジが回転することを防止するよう係止された第１の部分、及び回転することができる第２の部分を含む、請求項１に記載の装置。
【請求項１７】
根取り外しネジであって、
歯根に螺合するためのネジ先と、
ネジ先端から上方に延びるネジ付きシャフトであって、前記ネジ付きシャフトは、前記ネジ付きシャフトに対するネジ部材の回転によって前記ネジの抜き出しを可能にするよう、前記ネジ部材と係合可能である、前記ネジ付きシャフトと、
前記ネジ付きシャフトに対して前記ネジ部材を回転させる間の前記ネジの回転が防止されることを可能にするように構成された係止面と、
を備えた、前記根取り外しネジ。
【請求項１８】
前記係止面は、前記ネジ付きシャフトの平面状側部を含む、請求項１７に記載の根取り外しネジ。
【請求項１９】
前記平面状側部は、前記シャフトの実質的な長さに沿って延びる、請求項１８に記載の根取り外しネジ。
【請求項２０】
歯根取り外し機器であって、
ネジ部分を含むリードネジであって、前記ネジ部分の周りで、作動部材、例えば、ナットが、前記歯根に螺合するための前記リードネジ及びネジ先を移動するためにネジ山を付けられる、前記リードネジと、
前記リードネジによって横断されるボアを有する旋回部材であって、前記作動部材は、前記旋回部材の歯冠側面上で前記ネジ山部を捕捉する、前記旋回部材と、
それを通じたポイントの通路に対する開口部を含む、前記旋回部材を支持するためのプラットフォームと、を備え、
前記リードネジは、前記リードネジに対して前記作動部材を回転させる間の前記ネジの回転が防止されることを可能にするように構成された係止面を含む、
前記歯根取り外し機器。
【発明の詳細な説明】
【技術分野】
【０００１】
本発明は、口腔外科方法、及び口腔外科における使用のための機器に関する。
【背景技術】
【０００２】
先行技術の方法、装置、または文書に言及したとしても、それらが一般的な周知事項の一部を形成することの証拠を構成するものでも、それを承認するものでもない。
【０００３】
抜歯は、歯槽堤の寸法変化と関連付けられる。骨吸収は、水平方向及び垂直方向の両方において発生することがある。それらの吸収性変化は、患者の生涯にわたって継続することがある。
【０００４】
固定されたクラウン及びブリッジ技工は、喪失歯の代替のための選択の治療法であることが多い。クラウンは、抜歯に続き実際の歯槽に挿入されたインプラントから支えられることがある。代わりに、ブリッジが使用されることがあり、それによって、喪失歯を交換するためにクラウンが使用され、または隣接した自然歯もしくは隣接した歯科インプラントから懸架される。これは、「ポンティック」クラウンと称される。
【０００５】
喪失歯または喪失歯（複数可）を交換するために、可撤性義歯も使用されることがある。患者は概して、機能において自然歯とより類似するので、喪失歯を交換するために固定された解決策を好む。
【０００６】
固定されたクラウン及びブリッジ技工の周りの骨及び歯肉の継続した吸収は、歯科治療の審美的結果を深刻に悪くすることがある。歯肉が隣接歯間で歯から後退するので、歯に食物が挟まる不快感が生じる。歯を失うことに続くこの必然的な退化は、可撤性義歯の下で特に破壊的であることがある。義歯が減少した軟組織の基部に作用するにつれて痛みが発生することがあり、このプロテーゼの保持は、時間と共に衰えることがある。
【０００７】
硬組織及び軟組織のこの吸収は、現在の抜出技術を使用した抜歯の後では避けられない。長年にわたって、この問題に対処するために、いくつかの異なるアプローチが試みられてきた。長年の間の最高水準は、この吸収工程を相殺するための歯槽への脱蛋白牛骨の追加または歯槽に隣接しての脱蛋白牛骨の追加であった。結合組織移植術も、この退化を隠すよう歯肉の厚みを増大させるために広く使用されてきた。
【０００８】
この問題を克服するより新しい技術は、「ソケットシールド」技術である。ソケットシールド技術は、頬骨及び歯肉の吸収を回避するために、適切な位置に留まる頬側根の部分を残すことを伴う。歯科インプラントは、頬側根の後ろに配置され、歯冠を固定するために使用される。
【０００９】
「ポンティックシールド」技術として知られるこの技術の変形は、歯科ブリッジの下で歯槽堤を保存するために使用されることがある。ポンティッククラウンは、頬側根の保持された部分により抜歯窩にわたって懸架される。
【００１０】
本発明者は、ソケットシールド技術は、典型的には、歯を区分に切断し、次いで、骨から頬側根の部分の後ろでその区分を削り、梃子で動かすことを伴うので、歯科医が行うのに困難であり、患者に対してトラウマになると信じている。そのような手術は、時間を消費し、患者に対してトラウマになることがあり、インプラントのための部位及び取り囲む歯肉組織に対して不用意な破損があることが多い。シールドの移動性は、区分が取り除かれて手順を断念したときに生じることもある。口蓋骨ではなく、頬側骨のみが、歯根によって支えられている。これは、口蓋骨及び歯肉の後の退化につながる。更に、関与する歯に応じて、口腔外科医が頬側根の部分についての所望の幾何学形状を確認することが困難である。この幾何学形状が正確でなく、シールドが根尖の近くに延びるときに感染症を起こすことがある。前歯に対してソケットシールド技術を行うことができるが、アクセスが制限され、根形が複雑であることを理由に、顎の後ろに向かう歯に対して行うことはより困難である。
【００１１】
シールドがインプラント自体に固定されないので、治療の仮段階の間にもシールドの移動及び／または露出が発生することがある。
【００１２】
更に、そのような手順において使用することができる歯根抜出装置による問題は、使用されるときの力が望ましくない方向にネジに加えられることがあり、ネジを曲げもしくは破損させることがあり、または歯根を破損させることがあり、このことは、明らかに望ましくない。
【００１３】
本発明の目的は、上記問題のうちの１つ以上に対処する方法及び装置を提供することである。
【発明の概要】
【００１４】
本発明の第１の態様によれば、歯根に螺合するためのネジ先、及びネジ付きシャフトを有するリードネジと、リードネジが通過するボアを含む旋回部材であって、リードネジは、リードネジのネジ付きシャフトとのネジ部材の回転係合によってボアを通じて螺退可能である、旋回部材と、リードネジがプラットフォームに対して旋回することが可能であるように旋回部材を支持するためのプラットフォームと、を含み、リードネジは、ネジ付きシャフトとのネジ部材の回転係合の間のリードネジの回転を防止するための係止面を含む、歯根を取り外す装置が提供される。
【００１５】
一実施形態では、ネジ部材は、旋回部材の少なくとも一部を含み、その結果、リードネジに対する旋回部材の少なくとも一部の回転によって、リードネジがボアを通じて螺退する。
【００１６】
一実施形態では、係止面は、リードネジの端において係止面を含む。係止面は、リードネジのシャフトの対向する平面を含んでもよい。係止面は、結合突出部を含んでもよい。
【００１７】
係止面は、係止具内で受けられ、係止具と係合するように構成されてもよい。
【００１８】
係止面は、リードネジを歯根に螺合するために使用されてもよい。代わりに、リードネジは、リードネジを歯根に螺合するために使用されることになる１つ以上の他の係合面を含んでもよい。リードネジは次いで、歯根を取り外しまたは取り除くために螺退してもよい。
【００１９】
一実施形態では、リードネジのネジ付きシャフトは、リードネジに対するボアの回転によって、リードネジがボアを通じて螺退するように、旋回配置のボア内でネジ山部と係合する。
【００２０】
別の実施形態では、リードネジの係止面は、ネジ付きシャフトの側面上に平面を含む。平面は、対向する面のペアの面を含んでもよい。平面は、ネジ付きシャフトの長さに沿って実質的に延びてもよい。
【００２１】
平面は、リードネジの回転を防止するよう、旋回部材の開孔部と係合するように構成されてもよい。これは、旋回部材に対するリードネジの回転を防止することによって達成されてもよい。旋回部材の少なくとも一部は、プラットフォームに回転可能に係止されてもよい。
【００２２】
装置は、リードネジを歯根に螺合することに続いて、少なくとも部分的に組み立てることができるように構成されてもよい。
【００２３】
一実施形態では、プラットフォームは、湾曲凹部を有し、湾曲凹部は、その下部に開口部を有し、リードネジは、湾曲凹部内の開口部を通過する。旋回部材は、プラットフォーム内で湾曲凹部に相補形状の湾曲領域を含んでもよく、旋回部材の湾曲領域は、プラットフォームの湾曲凹部内で受けられる。リードネジが旋回部材を通じて位置付けられるとき、リードネジも、プラットフォームに対して旋回してもよい。
【００２４】
旋回部材の湾曲領域は、半球状領域を含んでもよい。
【００２５】
旋回部材は、第１の支持部及び第２の支持部を有するジンバル部分を含んでもよく、ジンバル部分は、第１の支持部及び第２の支持部の軸の周りで旋回可能である。
【００２６】
旋回部材は、第１のジンバル部分及び第２のジンバル部分を含んでもよく、第１のジンバル部分及び第２のジンバル部分は、直交する軸の周りで回転可能である。
【００２７】
プラットフォームは、ジンバル部分の支持部が受けられる溝付きチャネルを含んでもよい。溝付きチャネルは、ジンバル部分が支持部の軸に垂直な軸の周りで旋回することを可能にし得る。そのようなケースでは、支持部は、チャネルに沿って縦方向に進行してもよい。
【００２８】
溝付きチャネルは、使用中のときに湾曲凹部の周りのジンバルの回転を防止するように構成されてもよい。
【００２９】
複数の溝付きチャネルは、湾曲凹部の周囲の周りに位置付けられてもよく、溝付きチャネルのうちの１つ以上に支持部を位置付けることによって、ジンバル部分の回転を可能にする。
【００３０】
代替的な実施形態では、プラットフォームは、ジンバル部分の支持部が受けられる保持開孔部を含んでもよい。保持開孔部は、湾曲凹部の周りのジンバルの回転を防止するように構成されてもよい。
【００３１】
複数の保持開孔部は、湾曲凹部の周囲の周りに位置付けられてもよく、保持開孔部のペアに支持部を位置付けることによって、ジンバル部分の回転を可能にする。
【００３２】
旋回部材は、係止された第１の部分、及び回転することができる第２の部分を含んでもよい。係止された第１の部分は、ネジが回転することを防止するよう係止されてもよい。
【００３３】
一実施形態では、クッションを有するプラットフォームが提供される。クッションは、手順の間に患者の歯に置かれてもよい。クッションは、シリコン材料またはゴム製材料または硬質プラスチックを含んでもよい。クッションは、プラットフォームに着脱可能に取り付けられてもよい。クッションは、使い捨て用品を含んでもよい。プラットフォームを水平にするために異なる高さのクッションが使用されてもよい。隣接した歯を失った場合により大きなクッションが使用されてもよい。
【００３４】
プラットフォームは、硬質材料から適切に作成される。プラットフォームは、外科用規格金属もしくは外科用規格ステンレス鋼などの金属から、または硬質プラスチック材料から作成されてもよい。プラットフォームは、単一使用プラットフォームを含んでもよく、またはそれは、再使用可能プラットフォームであってもよい。プラットフォームが再使用可能である場合、各手順の後に減菌される必要があることを認識されよう。
【００３５】
旋回部材は、それを通過するボアを有する単一部材を含んでもよい。他の実施形態では、旋回部材は、共に接合された２つ以上の構成要素から作成されてもよい。旋回部材は、外科用規格金属もしくは外科用規格ステンレス鋼などの金属から、または硬質プラスチック材料から作成されてもよい。旋回部材は、単一使用旋回部材を含んでもよく、またはそれは、再使用可能旋回部材であってもよい。旋回部材が再使用可能である場合、各手順の後に減菌される必要があることを認識されよう。
【００３６】
別の実施形態では、旋回部材を通じたボアは、ネジ領域を有する必要がない。この実施形態では、リードネジは、ボアを通じて単純に挿入されてもよく、歯根と接触するときのリードネジの回転によって、リードネジのネジ先が歯根に螺合される。外科医が納得するようにネジ先が歯根に取り付けられたとき、リードネジは、患者の歯肉から離れて引き出されてもよく、それによって、ネジ部材の回転係合によって歯根を歯肉から取り外しまたは取り除く。
【００３７】
本発明の更なる態様によれば、歯根に螺合するためのネジ先と、ネジ先端から上方に延びるネジ付きシャフトであって、ネジ付きシャフトに対するネジ部材の回転によってネジの抜き出しを可能にするよう、ネジ部材と係合可能である、ネジ付きシャフトと、ネジ付きシャフトに対してネジ部材を回転させる間のネジの回転が防止されることを可能にするように構成された係止面と、を含む、根取り外しネジが提供される。
【００３８】
シャフトは、ネジ先よりも大きい直径を有してもよい。シャフトは、直径において実質的に均一であってもよい。
【００３９】
係止面は、ネジ付きシャフトの平面状側部を含んでもよい。平面状側部は、シャフトの実質的な長さに沿って延びてもよい。
【００４０】
本発明の更なる態様によれば、ネジ部分を含むリードネジであって、ネジ部分の周りで、作動部材、例えば、ナットが、歯根に螺合するためのリードネジ及びネジ先を移動するためにネジ山を付けられる、リードネジと、リードネジによって横断されるボアを有する旋回部材であって、作動部材は、旋回部材の歯冠側面上でネジ山部を捕捉する、旋回部材と、それを通じたポイントの通路に対する開口部を含む、旋回部材を支持するためのプラットフォームと、を含み、リードネジは、リードネジに対して作動部材を回転させる間のネジの回転が防止されることを可能にするように構成された係止面を含む、歯根取り外し機器が提供される。
【００４１】
好ましくは、旋回部材は、半球状部分を含む。旋回部材または半球状部分は好ましくは、硬質材料から作成される。
【００４２】
リードネジに回転を加え、それによって、歯根にポイントを螺合するためにリードネジとの固定した結合形成が設けられてもよい。
【００４３】
発明の好適な実施形態では、機器は、結合形成と嵌合するように配置された回転可能ハンドルを含み、それによって、回転可能ハンドルの回転が結合形成によってリードネジに伝達される。
【００４４】
いくつかの実施形態では、作動部材の回転が旋回部材の回転を生じさせないように、スラストワッシャまたはスラスト軸受が作動部材と旋回部材との間に位置してもよい。
【００４５】
プラットフォームは、前歯、臼歯、または犬歯のうちの１つにわたって位置付けるために形状付けられてもよい。
【００４６】
発明の好適な特徴、実施形態、及び変形は、当業者が発明を実施するために十分な情報を提供する以下の発明を実施するための形態から認識することができる。発明を実施するための形態は、先行する発明の概要の範囲を何ら限定すると見なされない。発明を実施するための形態は、いくつかの図面を参照する。
【図面の簡単な説明】
【００４７】
【図１Ａ】歯のデコロネーションにおける最初の段階である、歯のクラウンの側面を切断することを示す。
【図１Ａ．１】歯のデコロネーションにおける最初の段階である、歯のクラウンの側面を切断することを示す。
【図１Ｂ】歯のデコロネーションにおける最初の段階である、歯のクラウンの側面を切断することを示す。
【図２Ａ】歯の残りからクラウンを分離し、それによって、歯根を残すレバーの使用を示す。
【図２Ｂ】歯の残りからクラウンを分離し、それによって、歯根を残すレバーの使用を示す。
【図２Ｂ．１】歯の残りからクラウンを分離し、それによって、歯根を残すレバーの使用を示す。
【図３Ａ】歯肉線の下で根を縮小させるバーの使用を示す。
【図３Ａ．１】歯肉線の下で根を縮小させるバーの使用を示す。
【図３Ｂ】歯肉線の下で根を縮小させるバーの使用を示す。
【図４】根管を拡大する根管ファイルの使用を示す。
【図４．１】根管を拡大する根管ファイルの使用を示す。
【図５Ａ】管を連続して拡大する徐々に大きくなるゲーツグリッデンドリルの使用を示す。
【図５Ｂ】管を連続して拡大する徐々に大きくなるゲーツグリッデンドリルの使用を示す。
【図５Ｃ】管を連続して拡大する徐々に大きくなるゲーツグリッデンドリルの使用を示す。
【図５Ｃ．１】管を連続して拡大する徐々に大きくなるゲーツグリッデンドリルの使用を示す。
【図５Ｄ】管を連続して拡大する徐々に大きくなるゲーツグリッデンドリルの使用を示す。
【図６Ａ】管の歯冠部分を更に拡大する第１の直径のドリルビットの使用を示す。
【図６Ａ．１】管の歯冠部分を更に拡大する第１の直径のドリルビットの使用を示す。
【図６Ｂ】管の歯冠部分を更に拡大する第１の直径のドリルビットの使用を示す。
【図７Ａ】管の歯冠部分を更に拡大する、第２のより大きな直径のドリルビットの使用を示す。
【図７Ａ．１】管の歯冠部分を更に拡大する、第２のより大きな直径のドリルビットの使用を示す。
【図７Ｂ】管の歯冠部分を更に拡大する、第２のより大きな直径のドリルビットの使用を示す。
【図８Ａ】管の歯冠部分を更に拡大する、徐々に大きくなる直径のドリルビットの使用を示す。
【図８Ｂ】管の歯冠部分を更に拡大する、徐々に大きくなる直径のドリルビットの使用を示す。
【図８Ｃ】管の歯冠部分を更に拡大する、徐々に大きくなる直径のドリルビットの使用を示す。
【図８Ｃ．１】管の歯冠部分を更に拡大する、徐々に大きくなる直径のドリルビットの使用を示す。
【図９Ａ】カスタムに先細りしたバー及び歯の歯冠部分に歯リングを残すよう管の周りで歯根をミルアウトする際のその使用を表す。
【図９Ｂ】カスタムに先細りしたバー及び歯の歯冠部分に歯リングを残すよう管の周りで歯根をミルアウトする際のその使用を表す。
【図９Ｂ．１】カスタムに先細りしたバー及び歯の歯冠部分に歯リングを残すよう管の周りで歯根をミルアウトする際のその使用を表す。
【図９Ｃ】カスタムに先細りしたバー及び歯の歯冠部分に歯リングを残すよう管の周りで歯根をミルアウトする際のその使用を表す。
【図９Ｄ】カスタムに先細りしたバー及び歯の歯冠部分に歯リングを残すよう管の周りで歯根をミルアウトする際のその使用を表す。
【図１０】歯リングの平面図を示す。
【図１０．１】歯リングの矢状断面図を示す。
【図１１Ａ】歯リングから歯根を切り離す「Ｔ」形状バーの使用を示す。
【図１１Ｂ】歯リングから歯根を切り離す「Ｔ」形状バーの使用を示す。
【図１１Ｂ．１】歯リングから歯根を切り離す「Ｔ」形状バーの使用を示す。
【図１１Ｃ】歯リングから歯根を切り離す「Ｔ」形状バーの使用を示す。
【図１２Ａ】「Ｔ」形状バーが歯リングの周囲の周りを全て切り通していない状況を示す。
【図１２Ｂ】「Ｔ」形状バーが歯リングの周囲の周りを全て切り通していない状況を示す。
【図１２Ｃ】「Ｔ」形状バーが歯リングの周囲の周りを全て切り通していない状況を示す。
【図１３Ａ】切り離された根尖歯根内の孔を削ることを示す。
【図１３Ａ．１】切り離された根尖歯根内の孔を削ることを示す。
【図１３Ｂ】切り離された根尖歯根内の孔を削ることを示す。
【図１４Ａ】切り離された根尖歯根へのポストの挿入を示す。
【図１４Ｂ】切り離された根尖歯根へのポストの挿入を示す。
【図１４Ｂ．１】切り離された根尖歯根へのポストの挿入を示す。
【図１４Ｃ】切り離された根尖歯根へのポストの挿入を示す。
【図１５Ａ】根抜装置へのポストの固定を示す。
【図１５Ｂ】根抜装置へのポストの固定を示す。
【図１５Ｂ．１】根抜装置へのポストの固定を示す。
【図１６】根抜装置の操作及びポストの除去に続く骨から取り外された根を示す。
【図１６．１】根抜装置の操作及びポストの除去に続く骨から取り外された根を示す。
【図１７Ａ】取り外された根尖根の区分化を示す。
【図１７Ｂ】取り外された根尖根の区分化を示す。
【図１７Ｂ．１】取り外された根を区分化するための圧電鋸工具の端を示す。
【図１７Ｂ．２】区分化され取り外された歯の矢状断面図である。
【図１８】歯リングの内腔を通じて区分化された根の除去を示す。
【図１８．１】歯リングの内腔を通じて区分化された根の除去を示す。
【図１９】区分化された根の除去に続いてそのまま残された歯リングを示す。
【図２０】歯リングを通じて置かれ、下部の骨に固定されたインプラントを示す。
【図２０．１】歯リングを通じて置かれ、下部の骨に固定されたインプラントを示す。
【図２１】本発明の態様の好適な実施形態による根抜機器を表す。
【図２２】図２１の根抜機器のナットの形式にある作動部材を操作するためのレンチを表す。
【図２３】本発明の更なる実施形態による根抜機器のプラットフォームまたは「トレイ」を表す。
【図２４】前歯、臼歯、及び犬歯に対する抜歯機器の使用のための更なるトレイを表す。
【図２５】高さ調節可能ポストを含む根抜機器の更なる実施形態を示す。
【図２６】歯根を取り外すための本発明の別の実施形態による装置の分解図を示す。
【図２７】図２６に示された組み立てられた装置の斜視図を示す。
【図２８】リードネジ、及びナットが外科医によって回転することを可能にするようナットにわたって置かれたハンドホイールを有するナットの斜視図を示す。
【図２９】図２７に示された装置の上面図である。
【図３０】図２９に示された装置の正面図である。
【図３１】図３０に示された装置の側面図である。
【図３２】図３１に示された断面Ｊ−Ｊに沿った断面図である。
【図３３】使用中の図２６〜３２の装置を示す概略図である。
【図３４】本発明の更なる実施形態による、歯根を取り外すための装置の斜視図である。
【図３５】図３４の装置の分解図である。
【図３６】使用中の図３４の装置の斜視図を示す。
【図３７】本発明の更なる実施形態による、歯根を取り外すための装置の斜視図である。
【図３８】図３７の装置の分解図である。
【図３９】図３７の装置のトレイの断面図である。
【図４０】図３７の装置の一部の下部斜視図である。
【図４１】本発明の更なる実施形態による、歯根を取り外すための装置の斜視図である。
【図４２】図４１の装置の分解図である。
【図４３】図４１の装置の一部の分解図である。
【図４４】使用中の図４１の装置の斜視図である。
【図４５】本発明の実施形態によるリードネジ、及びハンドルの分解図である。
【図４６】組み立てられた形式にあるリードネジ及びハンドルの斜視図である。
【発明を実施するための形態】
【００４８】
本発明の好適な実施形態による歯科インプラントを固定する方法が説明される。最初に、図１Ａ、１Ａ．１、及び１Ｂに示されるように、歯１のクラウン３の側面は、高トルク、水冷却された、高速ハンドピース９によって駆動されるラウンドバーまたは長先細バーなどのバー７によって凹部５を形成するよう切り取られまたは除去される。バーは、歯肉線のやや上で、歯の外周の一部に凹部５を切断するために使用される。
【００４９】
図２Ａ、２Ｂ、２Ｂ．１を参照して、Ｌｕｘａｔｏｒまたは同様の機器などのバール１１は、歯１からクラウン３をスナップし、それによって、デコロネーションされた歯１ａ（図３Ａに示されるような）を残すにために使用される。
【００５０】
ここで、図３Ａ、３Ａ．１、及び３Ｂを参照して、大型ラウンドダイヤモンドバー１３は、ハンドピース９に取り付けられ、次いで、歯肉線１７の約２ミリメートル下で、または歯周病のケースにおいて更に、デコロネーションされた根１ａの根１５を縮小させるために使用される。
【００５１】
図４及び４．１に示されるように、従来の根管ファイル１９は次いで、歯根１ａの根管システム２１にアクセスするために使用される。管（複数可）は次いで、拡大されてもよい。止め具２３による貫通制御は、異常に短い歯、または下顎における下歯槽神経に近接した歯に対して提案される。
【００５２】
ここで、図５Ａ〜５Ｄを参照して、ゲーツグリッデンドリル２５は次いで、管（複数可）２１を更に拡大するために連続して使用されてもよい。サイズ１、３、５は通常、適切な拡大のために十分である。
【００５３】
１．５ミリメートルの直径のドリルビット２７は次に、図６Ａ及び６Ｂに示されるように、管の歯冠部分を７ミリメートルの深さに更に拡大するために使用される。２ミリメートルの直径のドリルビット２７は次いで、図７Ａ及び７Ｂに示されるように、管の歯冠部分を７ミリメートルの深さに更に拡大するために使用される。
【００５４】
図８Ａ〜８Ｃ．１に示されるように、連続して大きくなるドリルビット２７は次いで、管２１の７ミリメートルの歯冠部分２８を、歯リングの最小厚みが０．５ミリメートル〜１ミリメートルに近づくまで連続して拡大するために使用される。この段階において、歯根の歯冠部分に略環状の孔２１Ａが形成されている。しかしながら、略環状の孔２１Ａと歯の外周との間に著しい量の歯材料が残されたままである。本発明のこの実施形態の方法における次のステップは、歯のリング（すなわち、歯リング）が残され、歯リングがその周囲の周りで高度に均一な壁厚を有するように、略環状の孔２１Ａと歯の周囲との間で著しい割合のその歯材料を取り除くことを伴う。
【００５５】
図９Ａ〜９Ｄを参照して、平坦な非切断基部３１を有するカスタムに先細りしたバーは、管２１の歯冠部分２８の拡大を続けるために、高トルク及び高速（最大で毎分８０，０００回転）で適用される。生成の形状は、デコロネーションされた歯１ａの解剖学上の輪郭に沿う必要がある。水冷却は、穿孔が行われないこのポイントにおいては必須ではない。この垂直に広がる深さは、７ミリメートルの深さまで実行される。多根歯について、先細バーを使用した歯髄室全体のデカーリングは、最初のステップである。歯髄床は、その全体において取り除かれ、根は次いで、カスタム「Ｔ」バーを使用して根分岐レベルにおいてまたは根分岐レベルを僅かに下回って切り離される。このレベルは、歯リングの４ミリメートル±１ミリメートルが「Ｔ」バーによって行われた切断の上に維持されるように計算される。多根歯に対してシールドを穿孔しないよう、根形態の注意深い観察によって注意が払われる必要がある。歯根を接続する歯リングは、ほとんどの穿孔が行われる場所である。歯周病に罹患した臼歯について、骨は、根分岐領域に根尖であってもよい。このケースでは、根は、単根前歯のように別個に準備されてもよい。
【００５６】
図１０に示されるように、バー３１の適用の終わりでは、最終的に骨の吸収を防止するシールドとしての役割を果たす歯のリング、すなわち、歯リング３３が形成される。歯リング３３の壁の厚みは、幅においておよそ０．５ミリメートル〜１．０ミリメートルである。歯リングは、約４±１ミリメートルである高さまたは深さを有してもよいが、この測定値からの変動が可能である。本質的に、歯リング３３は、歯槽に留まり、歯槽を補強及び強化する歯肉に留まる自然歯材料の表面を提供する。
【００５７】
図１１Ａ〜１１Ｃを参照して、水冷却された外科用ハンドピース９内で、長いシャンクの、低速カスタム「Ｔ」バー３５を使用して、根３７の根尖部分が歯リング３３から切り離される。これは、７ミリメートルの深さで歯冠に広がる基部において、すなわち、歯リング３３の内腔の基部において「Ｔ」バー３５を位置付け、歯根１ａの内部壁を通じて切断部４１作成するよう歯根の内部壁の周囲とバーを接触させ、及び周囲の周りにバーを移動させることによって行われる。切断部４１は、歯リング３３の下部と歯根３７の根尖部分の上部との間の隙間を定める。シャンク３９は、最大深さの切断を保証するよう壁に反して硬く保持される必要がある。バー３５は、直径において３ミリメートルであってもよく、高さにおいて２．５ミリメートルであってもよく、縁及び上部の切断のみに対して適切に構成される。歯根の歯冠部分内の開口部の略平坦な基部は、周辺開口部を切断するときのバーの基部に対するガイドとして使用されてもよい。
【００５８】
カスタム「Ｔ」バーが根３７を完全に切り離さない場合、壁の厚みを減少させるよう更なる縮小が必要とされる。清潔な切開は、骨の出血、及び色における明白な差によって特徴付けられる。図１２Ａ〜１２Ｃに示される状況では、切断バーからの「トラフ」４１Ａは、明確に視認可能であるが、根の穿孔が行われていない。この状況では、カスタム「Ｔ」バーは、壁の厚みを減少させるよう、根まで冠状に引き込まれる（図１２Ｂ及び１２Ｃを参照）。次いで、カスタム「Ｔ」バーは、７ミリメートルの深い生成の基部に位置付けられ、根を切り離すために中心の動きにおいて使用される。
【００５９】
図１３Ａ及び１３Ｂに示されるように、適切なドリルビット４５は次いで、根管２１に沿って、切り離された根３７内で孔を削るために使用される。穿孔のリスクを避けるために根管に沿うことが好ましい。５〜７ミリメートルの深さが十分である。
【００６０】
適切なポスト４７は次いで、図１４Ａ〜１４Ｃに示されるような工具４８によって切り離された根３７に螺合される。
【００６１】
ポスト４７は次いで、図１５Ａ（歯肉にわたる支持トレイの配置を示す）、１５Ｂ、及び１５Ｂ．１に示されるように、Ｂｅｎｅｘまたは同様の根抜機構４６に接続され、それによって、図１５Ｂ．１に示されるような下層の骨から根３７の根尖部分を抜き出す。
【００６２】
図１６を参照して、切り離された根３７は次いで、垂直の動きにおいて上方及び下方に移動するよう自由になる。ポスト４７は次いで、半時計周りにネジを抜くことによって取り除かれる。切り離された根３７は通常、多根歯を除き、歯リング３３の内腔を通過することができないほど広い。したがって、図１７Ａ及び１７Ｂに示されるように、高トルクの、水冷却された外科用ハンドピース上の外科用ラウンドバーは次いで、根を２つの部分４９ａ、４９ｂに区分化するために使用される。代わりに及び好ましくは、図１７Ｂ．１に示されるような先端を有する、ＶＳ３−ＬＥＤ−ＨＰＳＣなどの圧電切断ドリルは、取り外された根を区分化するために使用されてもよい。これは、峡部において行われる。根部分４９ａ及び４９ｂは次いで、図１８及び１８．１に示されるような鉗子５１またはいずれかの他の適切な工具によって歯リング３３の内腔を通じて取り除かれてもよい。結果として、歯リング３３は、図１９に示されるように、そのまま残され、高さにおいておおよそ４ミリメートル±１ミリメートルであり、壁の厚みにおいて０．５〜１ミリメートルである。
【００６３】
本発明の一実施形態では、インプラント５３（必要とされる場合）は次いで、歯リング３３を通じて挿入される。インプラントは、シールドの内壁に接触することによって安定性を導出することができる。インプラントクレスト５５は、インプラント５３の内面への妨げられないアクセスが保たれるように、歯リング３３の基部３４において、または基部３４を僅かに下回って延びることが好ましい。図２０及び２０．１は、歯リング内のインプラントの臨床図を示す。
【００６４】
説明されたＢｅｎｅｘケーブル及びプーリー根抜機構が、前歯に対して十分使用可能であることが発見されているが、発明者は、奥歯に関連してより容易に操作することができる、より小型の装置が好ましいことを発見している。
【００６５】
ここで、図２１を参照して、本発明の態様の実施形態による根離脱装置５６が表される。装置５６は、歯肉にわたって位置し、それらを通じて形成された中心ボア６０を有する対応する半球状スイベル５９を支持する弧状側面７７との中心開口部７５を有する、トレイ５７の形式にあるプラットフォームを含む。
【００６６】
中心ボア６０を通過し、ナット６１の形式にある作動部材によって捕捉されるネジ山部６７を有するリードネジ６５が設けられる。ネジ山部６７は、回転ハンドル７１の相補凹部７２に受けられる六角形結合突出部６３において終端する。
【００６７】
リードネジ６５の内側端は、ハンドル７１の回転によって、使用中に歯根４９の管に螺合されるネジ先６９において終端する。ネジ先６９が根４９に十分に螺合されると、ハンドル７１が取り除かれる。スパナ７３は次いで、ナット６１の上に置かれ、リードネジ６５のネジ山部６７に対してナット６１を回転させるために使用される。ナット６１を締め付ける動作によって、その下面が半球状トレイ５７内で半球状スイベル５９の上面と自己整合する。これは、曲げモーメントがリードネジ６５に加えられないことをもたらす。よって、リードネジ６５は、根４９が下層の骨から抜き出されるように、根４９が取り付けられた骨から離れて転換される。
【００６８】
そのようにして、半球状スイベル５９は、歯根４９と整合するようトレイに対して旋回することができる点で、旋回部材として機能する。
【００６９】
図２１に示された実施形態では、ナット６１は、半球状スイベル５９上に直接置かれる。ナット６１が半球状スイベル５９と接触するように、ナット６１がリードネジ６５を離脱するよう回転するとき、回転運動が半球状スイベル５９またはリードネジ６５に加えられるリスクが存在する。半球状スイベル５９またはリードネジ６５の回転を最小化または回避するために、スラスト軸受（図示せず）がナット６１と半球状スイベル５９との間に置かれてもよい。ナットの回転は次いで、スラスト軸受の回転を生じさせるが、半球状スイベル５９と接触したスラスト軸受の表面の回転はない。
【００７０】
ナット６１が回転するにつれて、六角形結合突出部６３は、例えば、回転ハンドル７１を使用したリードネジ６５の回転を防止するために使用されてもよい。
【００７１】
トレイ５７は、口の中の異なる位置に収容するために様々な構成において提供されてもよい。例えば、図２３は、臼歯により使用されるよう設計されたプラットフォーム５７ａを表す。図２４は、各々が患者の臼歯、前歯、及び犬歯による使用のための異なる形状を有する、トレイ５７ａ、５７ｂ、及び５７ｃを示す。図２５は、トレイを支持する際に調節可能脚部７５を有するポスト７４をどのように設けるかを示し、トレイでは、それが歯肉の歯無領域にわたって部分的に位置付けられる。
【００７２】
図２６〜３２は、歯根を切り離すための本発明の別の実施形態による装置の様々な図を示す。装置２００は、リードネジ２０２を含む。リードネジ２０２は、ポイントからシャフトまで延びるネジ領域を有するネジ先２０４を含む。リードネジ２０２のポイントにおけるネジ山部２０４は、リードネジのネジ先が歯根に螺合されることを可能にする。これは、いくつかの歯科用機器において一般的であり、いくつかの異なるネジ設計及びテーパを使用することができることを述べることを除き、更に説明する必要はない。リードネジ２０２の上端は、係合領域２０５を有してもよく、係合領域２０５では、ハンドホイールなどの旋削工具は、ネジと係合することができ、それによって、外科医がネジを回転させることを可能にする。リードネジ２０２はまた、リードネジ２０２のシャンク上でネジ領域２０３を含む。
【００７３】
装置は、プラットフォーム２０６を含む。プラットフォーム２０６は、ステンレス鋼または硬質プラスチックなどの硬質材料から作成される。プラットフォーム２０６は、その下部に開口部２１０を有する湾曲凹部２０８を含む。プラットフォーム２０６はまた更に、クッション部材上で突出ラグを受け、それによって、クッション部材２１６がプラットフォーム２０６に着脱可能に取り付けられることを可能にする開口部２１２、２１４を含む。クッション部材２１６上の突出ラグ２１８、２２０は、図２６において部分的に見ることができる。突出ラグ２１８、２２０は、それぞれの開口部２１２、２１４を通じて圧迫されてもよく、それによって、プラットフォーム２０６に対する位置にクッション部材を保持することを認識されよう。突出ラグ２１８、２２０は、プラットフォーム２０６内で開口部２１２、２１４を通じて移動するにつれて押し込まれる特大頭部を有してもよい。頭部が開口部を通過すると、それらは、それらの標準の大きさに再度スナップし、それによって、クッションを適切な位置に保持することができる。クッションは、図２６において最も良く見ることができるように、２つの別個のクッション部品から作成されてもよい。
【００７４】
装置にはまた、旋回部材も備えられる。旋回部材は、開口部を有する本体の形式にある上部部材２２２または本体を通過する通路２２３を含む。開口部２２３は、その下端においてネジ領域２２４を有する。上部部材２２２は、プラットフォーム２０６の湾曲凹部２０８に形状において全体的に相補的である湾曲外面２２６を有する。旋回部材はまた、下部部材２２８を含む。下部部材２２８は、下部湾曲面２３０を有する。下部部材２２８はまた、リードネジ２０２の外径よりもいくらか大きい直径を有するボア２３２を含む。ネジ領域２３４は、下部部材２２８が上部部材２２２内の開口部２２３の下部部品において相補ネジ領域２２４に螺合されることを可能にする。このようにして、下部部材２２８は、旋回部材２２９を組み立てるよう上部部材２２２に接続されてもよい。
【００７５】
下部部材２２８を上部部材２２２に接続する前に、ネジ付きナット２３６は、下部部材２２８と上部部材２２２との間に位置付けられる。これは、ネジ付きナット２３６が下部部材２２８と上部部材２２２との間で捕捉されることをもたらす。ネジ付きナット２３６は、上部部材２２２内の開口部２２３の上部の周りで延びる肩部と下部部材２２８のネジ山部の上面との間に位置付けられたフランジ２３８を含む。これは、図３２において最良に示される。このようにして、ネジ付きナット２３６は、旋回部材に対して回転することができるが、旋回部材内で保持される。
【００７６】
ネジ付きナット２３６には、ハンドホイールまたはスパナなどの回転工具と係合することができ、それによって、外科医によってネジ付きナット２３６を回転することを可能にする外部係合面２４０が備えられる。図２６〜３２は、この領域を正方形頭部領域として示す。しかしながら、六角形形状領域などの他の形状領域も使用されてもよい。更に、スクリュードライバヘッドまたはアレンキーまたは槽に対するスロットまたは開口部など、他の種類の係合サービスも使用されてもよい。図２６では、外部係合面２４０も、回転輪２４４の中心開口部２４２を通じて延びるとして描かれている。他の工具もネジ付きナット２３６の外部係合面２４０と係合してもよいことが認識されよう。回転輪２４４も、ネジ付きナット２３６上で回転輪２４４を据え付ける際に支援するＯリング２４６を有する。
【００７７】
図３２に最良に示されるように、上部部材２２２及び下部部材２２８が共に接続されるとき、旋回部材２２９が形成され、旋回部材２２９は、湾曲外面を有する。適切に、旋回部材２２９の外面は、形状において略半球状である。プラットフォームの湾曲凹部２０８も、形状において適切に略半球状である。このようにして、旋回部材２２９は、湾曲凹部２０８に対して旋回することができる。
【００７８】
図２６〜３２に示される装置の操作は、図２１〜２３に示された装置の装置と概して同様であり、図３３は使用中の装置の概略図を示す。この点について、クッション２１６は、プラットフォーム２０６に取り付けられ、プラットフォームは、手術の部位を取り囲む患者の歯に置かれる。特に、プラットフォーム２０６及びクッション２１６は、手術の部位のいずれかの側面に位置する歯３００、３０２に置かれる。図３３も、歯リング３０４及び歯根３０６の根尖を概略的に示す（図３３における歯リング３０４と歯根３０６との間の空間が拡張した寸法で示される）。リードネジ２０２は、リードネジ２０２のネジ領域２０３がネジ付きナット２３６上で雌ネジと係合するようにネジ付きナット２３６に螺合される。それと螺合により係合されたリードネジを有する旋回部材は、プラットフォーム２０６上で湾曲凹部に置かれる。リードネジ２０２は、ネジ先２０４が歯根３０６と係合するまでネジ付きナット２３６及び歯リング３０４を通じて下方に延びるよう回転し、ネジ先２０４が、歯根３０６に螺合され、それによって、リードネジ２０２を歯根３０６に効果的に取り付ける。それが行われると、回転輪２４４は次いで、ネジ付きナット２３６の係合領域２４０にわたって置かれる。回転輪は次いで、ネジ付きナット２３６を回転するよう外科医によって操作される。リードネジ２０２が歯根３０６に効果的に固定されるにつれて、リードネジは、ネジ付きナット２３６により回転することを防止される。結果として、ネジ付きナット２３６の回転によって、リードネジの螺退が生じ、また、歯根３０６が歯肉／骨から取り外されることをもたらす。結果として、歯根は緩められ、部分的に取り除かれる。
【００７９】
リードネジがプラットフォームに対して旋回することができるので、リードネジは、自己整合することができ、リードネジは、歯根を取り外すよう螺退する。結果として、曲げモーメントがリードネジに加えられず、それが取り付けられた下層の骨から歯根を満足に取り外す保証を支援する。更に、この新規な特徴は、リードネジが曲がり、破損することのリスクを減少させる。
【００８０】
図３４〜３６は、歯根を取り外すための本発明の更なる別の実施形態による装置３００の様々な図を示す。装置３００は、装置５６及び２００と同様であるが、単一の旋回部材３０５を含む。
【００８１】
装置３００は、リードネジ２０２と同様のリードネジ３１０を含み、リードネジ３１０が歯根に螺合されることを可能にする、リードネジ３１０の下端上にネジ先３１５を含む。リードネジ３１０はまた、その上端において係合領域３２５を有する、リードネジ３１０の上端に延びるネジ付きシャンク部分３２０を含む。係合領域３２５は、以下で更に概説されるように、ハンドホイールなどの旋削工具がネジ３１０と係合することを可能にし、それによって、外科医がネジ３１０を回転させることを可能にし、または係止スパナなどの係止具が、外科医がネジ３１０の回転を防止することを可能にするようネジ３１０と係合することを可能にする。
【００８２】
装置３００は、プラットフォーム２０６と同様の、手術の部位を取り囲む患者の歯に置かれるように構成されたプラットフォーム３３０を含む。プラットフォーム３３０は、その下部において開口部を有する湾曲凹部３３５を含み、旋回部材３０５の半球状基部３４０を受けるように構成される。湾曲凹部３３５は、半球状基部３４０に対して形状において全体的に相補的であり、それは、旋回部材３０５が湾曲凹部３３５内で回転及び旋回することを可能にする。
【００８３】
旋回部材３０５は、リードネジ３１０が旋回部材３０５に螺合されることを可能にする、旋回部材３０５の長さに沿って延びるネジ開口部３４５を含む。特に、旋回部材のネジ開口部３４５の雌ネジは、ネジ付きナット２３６と同様に、リードネジ３１０のネジ付きシャンク部分３２０と係合する。
【００８４】
旋回部材３０５は更に、スパナなどの回転工具が旋回部材３０５と係合することを可能にし、それによって、旋回部材３０５が外科医によって回転することを可能にする、縦方向に均一な断面を有する本体の形式にある上部係合面３５０を含む。
【００８５】
使用中、リードネジ３１０は、ネジ先３１５が歯根と係合し、歯根に螺合され、それによって、リードネジ３１０を歯根３０６に効果的に取り付けるように回転する。これは、係合領域３２５と係合するスパナまたは回転輪を使用して達成される。
【００８６】
リードネジ３１０がプラットフォーム３３０に対して旋回することができるので、リードネジ３１０は、旋回部材の旋回を通じて装置３００に取り付けられる間に歯根と整合され得る。更に、旋回部材は、使用されるときに自己整合するリードネジ３１０も含んでもよく、そのようにして、曲げモーメントがリードネジに加えられず、次いで、リードネジ３１０が曲がりまたは破損するリスクを減少させる。
【００８７】
リードネジが歯に固定されると、ラチェットスパナ３５５は、旋回部材３０５の上部係合面３５０にわたって置かれ、上部係合面３５０と係合する。ラチェットスパナ３５５は、開放式であり、それは、リードネジ３１０の係合領域３２５がそれを通じて延びることを可能にする。係止スパナ３６０は次いで、リードネジ３１０の係合領域３２５にわたって置かれてもよく、係合領域３２５と係合してもよい。
【００８８】
ラチェットスパナ３５５は次いで、係止スパナ３６０がリードネジ３１０の回転を防止するために使用される間に、旋回部材３０５を回転させるよう、外科医によって操作されてもよい。リードネジ３１０に対する旋回部材３０５の回転によって、リードネジ３１０の螺退が生じ、それによって、歯根の抜き出しをもたらす。図３６は、それに取り付けられたラチェットスパナ３５５及び係止スパナ３６０を有する使用中の装置３００を示す。
【００８９】
ラチェットスパナ３５５及び係止スパナ３６０は、適切な位置に手動で保持されてもよい（例えば、外科医またはアシスタントによって）。代わりに、係止スパナ３６０は、係止スパナ３６０が手動での保持を必要とすることなく、リードネジ３１０の回転を防止するよう、支持部に結合されてもよい。
【００９０】
係止スパナ３６０の使用を必要としないが、代わりに、以下で概説されるように、リードネジの回転が装置自体によって防止される発明の他の実施形態が提供される。
【００９１】
図３７〜４０は、歯根を取り外すための本発明の更なる別の実施形態による、装置４００、及びその構成要素の様々な図を示す。装置４００は、装置５６、２００、及び３００と同様であるが、係止スパナに対する必要性を軽減する、リードネジの回転を防止する旋回機構を含む。
【００９２】
特に、装置４００は、リードネジ３１０と同様のリードネジ４０５を含み、リードネジ４０５が歯根に螺合されることを可能にする、リードネジ４０５の下端上でのネジ先４１０、リードネジ４０５の上端に延びるネジ付きシャンク部分４１５、及びハンドホイールなどの旋削工具がネジ４０５と係合することを可能にする係合領域４２０を含む。
【００９３】
ネジ付きシャンク部分４１５は、以下で更に詳細に概説されるように、ネジ付きシャンク部分４１５の長さに沿って延び、リードネジ４０５が、ある位置に係止されることを可能にする、平面状係止面４２５を含む。
【００９４】
装置４００は、トレイ４３０の形式にあるプラットフォームを含み、トレイ４３０は、トレイ５７と同様に、手術の部位を取り囲む患者の歯に置かれるように構成される。トレイ４３０は、上部本体を含み、上部本体を通じて、リードネジ４０５は、旋回機構、並びにそれらから下方に延びる、翼とも称される内部測壁４３０ａ及び外部測壁４３０ｂによって延びる。
【００９５】
内部測壁４３０ａ及び外部測壁４３０ｂは、手術の部位に、並びに手術の部位の内側及び外側に位置付けられるように構成され、シリコンバンパを受け及び保持するための開孔部４３５を含む。特に、使用中のときに歯根を取り囲む患者の歯を保護するために、異なる形状及びサイズのシリコンバンパが基板に組み込まれてもよい。
【００９６】
図３８及び３９に最良に示されるように、トレイ４３０の上部本体は、その下部部品に開口部を有する半球状凹部４４０を含み、旋回機構の半球状基部４４５を受けるように構成される。
【００９７】
半球状基部４４５は、半球状凹部４４０の溝４５５内で受けられるように構成された、その対向する上縁上に支持部４５０を含む。支持部４５０は、半球状基部４４５が支持部４５０のペアによって定められた軸の周りで旋回することを可能にし、溝４５５は、半球状基部４４５が、支持部が受けられる溝４５５の方向に沿って旋回することを可能にする。そのようにして、溝４５５の対向するペアは、それに沿って半球状基部４４５が旋回することができるチャネルとして共に機能する。
【００９８】
溝４５５は、半球状基部４４５が適切な角度において位置付けられることを可能にするよう、半球状凹部４４０の周りで間隔を空けられる。溝４５５は、いずれかの適切な増分において位置付けられてもよいが、一実施形態では、おおよそ１０個の溝が半球状凹部４４０の周りに位置付けられ、約３６度の増分での回転を可能にする。
【００９９】
ネジ係合部材４６０は、プレスフィット配置内で半球状基部４４５の凹部４６５と係合する。特に、係合部材４６０のフランジ４７０は、凹部４６５のリップ４７５と係合し、それによって、ネジ係合部材４６０を凹部４６５に保持する。
【０１００】
フランジ４７０及びリップ４７５は、ネジ係合部材４６０及び凹部４６５のそれぞれの周囲の周りを延び、軸方向に対称である。結果として、ネジ係合部材４６０は、凹部４６５内で回転することが可能である。
【０１０１】
ネジ係合部材４６０は、ネジ係合部材４６０の長さに沿って延び、リードネジ４０５がネジ係合部材４６０に螺合されることを可能にする、ネジ付き開口部４８０を含む。特に、ネジ付き開口部４８０の雌ネジは、ネジ付きナットと同様に、リードネジ４０５のネジ付きシャンク部分と係合する。
【０１０２】
図４０に最良に示されるように、半球状基部４４５は、その基部において溝穴付き開孔部４８５を含む。溝穴付き開孔部４８５は、溝穴付き開孔部４８５の線形側面４９０がリードネジ４０５の平面状係止面４２５と係合し、それによって、半球状基部４４５に対するリードネジ４０５の回転を防止し、それによって、トレイ４３０、次いで歯根に対するリードネジ４０５の回転を防止するような大きさとされる。
【０１０３】
ネジ係合部材４６０は、スパナなどの回転工具がネジ係合部材４６０と係合することを可能にし、それによって、ネジ係合部材４６０が外科医によって回転することを可能にする、縦方向に均一な断面を有する本体の形式にある上部係合面４９５を含む。
【０１０４】
使用中、リードネジ４０５は、ネジが歯根に効果的に取り付けられるまで、リードネジ４０５の係合領域４２０と係合するハンドホイールまたはスパナを使用して歯根に螺合される。これは、旋回機構がトレイから分解される間に有利に行われる。
【０１０５】
旋回機構（すなわち、半球状基部４４５及びネジ係合部材４６０）は次いで、ネジが半球状基部４４５の開孔部４８５を通じて上方に、及びネジ係合部材４６０内に延びるように、トレイ４３０内で組み立てられる。このポイントにおいて、半球状基部４４５は、溝４５５内で支持部４５０によってトレイ４３０に回転可能に係止される。結果として、ネジは、トレイ４３０に対して回転することができない。
【０１０６】
半球状基部４４５の下面が半球状凹部４４０の内面に対応するので、半球状基部４４５及び半球状凹部４４０のそれらの面は、半球状基部４４５に加えられた軸力をトレイ４３０に伝達するよう（例えば、ネジ４０５の回転から）相互に係合する。そのようにして、支持部４５０は、支持部４５０を保護する、この全体的な軸力を運ばない。
【０１０７】
スパナまたは同様のものは次いで、係合部材４６０の上部係合面４９５にわたって置かれてもよく、上部係合面４９５と係合してもよい。スパナは次いで、リードネジ４０５に対してネジ係合部材４６０を回転させてリードネジ４０５の螺退を生じさせ、それによって、歯根を抜き出すことをもたらすよう、外科医によって操作されてもよい。
【０１０８】
図４１〜４４は、歯根を取り外すための本発明の更なる別の実施形態による、装置５００、及びその構成要素の様々な図を示す。装置５００は、装置５００と同様であるが、複数の旋回半球状部材を含む。
【０１０９】
特に、装置５００は、装置４００のそれと同一の、平面状係止面４２５を含むリードネジ４０５、及びトレイ４３０と同様の、トレイ５０５の形式にあるプラットフォームを含む。トレイ５０５は、それを通じてリードネジ４０５が旋回機構によって延びる、トレイ４３０と同様の上部本体、並びにそれらから下方に延びる、内部測壁４３０ａ及び外部測壁４３０ｂを含む。しかしながら、溝４５５の代わりに、トレイ５０５は、半球状凹部５１５の周囲の周りで複数の保持開孔部５１０を含む。
【０１１０】
半球状凹部５１５は、下部半球状ジンバル部分５２０を受けるように構成され、下部半球状ジンバル部分５２０は次いで、上部半球状ジンバル部分５２５を受けるように構成される。下部半球状ジンバル部分５２０は、保持開孔部５１０のペア内で受けられるように構成された、支持部５３０を含み、保持開孔部５１０は、下部半球状ジンバル５２０が、支持部５３０のペア及び保持開孔部５１０のペアによって定められた軸の周りで旋回することを可能にすると共に、下部半球状ジンバル５２０の回転を防止する。
【０１１１】
上部半球状ジンバル部分５２５はまた、下部半球状ジンバル部分の保持開孔部５４０内で受けられる、支持部５３５のペアを含む。保持開孔部５４０は、支持部５３０によって定められた軸に対して右の角度において位置付けられる。そのようにして、上部半球状ジンバル部分５３０及び下部半球状ジンバル部分５２５は、相互に直交する軸に沿って回転することが可能である。
【０１１２】
保持開孔部５１０は、支持部５３０が受けられる保持開孔部５１０の方向に沿って旋回するように、下部半球状ジンバル５２０が位置付けられることを可能にする。そのようにして、使用される保持開孔部５１０は、下部半球状ジンバル５２０がトレイ５０５に対して適切な角度において位置付けられるように選択されてもよい。保持開孔部５１０は、いずれかの適切な増分において位置付けられてもよいが、一実施形態では、おおよそ１６個の保持開孔部５１０は、半球状凹部５１５の周りに位置付けられ、約２２．５度の増分での回転を可能にする。
【０１１３】
ネジ係合部材５４５は、ネジ係合部材４６０と同様に、プレスフィット配置で上部半球状ジンバル部分５２５の凹部５５０と係合する。特に、係合部材５４５のフランジ５５５は、凹部５５０のリップと係合し、それによって、ネジ係合部材５４５を凹部５５０に保持すると共に、ネジ係合部材５４５が上部半球状ジンバル部分５２５に対して回転することを可能にする。更に、ネジ係合部材５４５は、ネジ係合部材５４５の長さに沿って延び、リードネジ４０５がネジ係合部材５４５に螺合されることを可能にするネジ付き開口部５６５を含む。
【０１１４】
図４３に最良に示されるように、上部半球状ジンバル部分５２５は、その基部において溝穴付き開孔部５７０を含み、下部半球状ジンバル部分５２０は、上部半球状ジンバル部分５２５が旋回することができる方向に沿って細長スロット５７５を含む。
【０１１５】
溝穴付き開孔部５７０は、溝穴付き開孔部５７０の線形側面５８０がリードネジ４０５の平面状係止面４２５と係合し、それによって、上部半球状ジンバル部分５２５に対するリードネジ４０５の回転を防止するような大きさとされる。上部半球状ジンバル部分５２５は、下部半球状ジンバル部分５２０に対して回転することができず、下部半球状ジンバル部分５２０は、トレイ５０５、次いで、歯根に対して回転することができず、それによって、リードネジは、回転することが防止される（重要なことに歯根に対して）。
【０１１６】
上部半球状ジンバル部分５２５の下面が下部半球状ジンバル部分５２０の内面に対応し、下部半球状ジンバル部分５２０の下面が半球状凹部５１５の内面に対応するので、上部半球状ジンバル部分５２５、下部半球状ジンバル部分５２０、及び半球状凹部５１５のそれらの面は、上部半球状ジンバル部分５２５に加えられた軸力をトレイ４３０に伝達するよう（例えば、ネジ４０５の回転から）相互に係合する。そのようにして、支持部５３０、５３５は、支持部５３０、５３５を保護する、この全体的な軸力を運ばない。
【０１１７】
ネジ係合部材５４５は、スパナなどの回転工具がネジ係合部材５４５と係合することを可能にし、それによって、ネジ係合部材５４５が外科医によって回転することを可能にする、上部係合面４９５と同様の上部係合面５８５を含む。
【０１１８】
使用中、リードネジ４０５は、ネジが歯根に効果的に取り付けられるまで、リードネジ４０５の係合領域４２０と係合するハンドホイールまたはスパナを使用して歯根に螺合され、これは、旋回機構がトレイ５０５から分解される間に有利に行われる。
【０１１９】
旋回機構（すなわち、上部半球状ジンバル部分５２５、下部半球状ジンバル部分５２０、及びネジ係合部材５４５）は次いで、ネジ４０５が下部半球状ジンバル部分５２０の細長スロット５７５、上部半球状ジンバル部分５２５の溝穴付き開孔部５７０を通じて上方に、及びネジ係合部材５４５内に延びるように、トレイ５０５内で組み立てられる。このポイントにおいて、下部半球状ジンバル部分５２０は、保持開孔部５１０よってトレイ５０５に回転可能に係止される。結果として、ネジ４０５は、トレイ５０５に対して回転することができない。
【０１２０】
ハンドホイール５９０（または、同様の工具）は次いで、ネジ係合部材５４５の上部係合面５８５にわたって置かれてもよく、上部係合面５８５と係合してもよい。ハンドホイール５９０は次いで、リードネジ４０５に対してネジ係合部材５４５を回転させるよう外科医によって操作されてもよい。ネジ係合部材５４５がリードネジ４０５ときつく係合すると、外科医は、更なる力をネジ係合部材５４５に加えることを可能にして、リードネジ４０５の螺退を生じさせ、それによって、歯根の抜き出しをもたらすよう、スパナまたはラチェットを変更することができる。ハンドネジ５９０は、係合面５８５に嵌るように適合された、調整開孔部５９５を含む。
【０１２１】
上記概説されたように、リードネジ４０５は、ハンドホイールなどの工具がリードネジ４０５と係合することを可能にする、係合領域４２０を含む。図４５は、ハンドホイール６００を有するリードネジ４０５の分解図を示し、図４６は、取り付けられたハンドホイール６００を有するリードネジ４０５の組み立て図を示す。
【０１２２】
ハンドホイール６００は、その周囲の周りで複数の把持部６０５、及びその中心部分に調整開孔部６１０を含む。調整開孔部６１０は、係合領域４２０の平面状側部と係合する平面状側部６１５を含む。
【０１２３】
係合領域４２０の平面状側部は先細りになり、それは、調整開孔部６１０内でぴったり嵌ることを保証し、次いで、安定性を改善し、制御を増大させる。
【０１２４】
示されるリードネジは、ナットとして機能するネジ係合部材によってネジに加えられる回転力を減少させ、ネジのネジ山への強化をもたらすよう、特にシャフト部分において正方形切断ネジ山を含んでもよいことに留意されよう。
【０１２５】
発明は、ネジを係止して回転を防止する能力は、不要な力がネジに加えられる可能性を減少させ、次いで、歯根を破損させる可能性を減少させることができると信じている。
【０１２６】
発明者は、抜き出し工具は、臼歯に関連して使用されるように十分に小型に作成されてもよく、Ｂｅｎｅｘなどのライン及びプーリー抜き出し工具は、利用するのが困難である場合があると信じている。更に、発明者は、抜き出し工具は、臼歯についてのケースになることがある、高負荷の下で破損することがあるラインに依存しないので、ラインに基づく抜き出し工具よりも強力であることができると信じている。
【０１２７】
発明者は、患者が治療を受ける時間が相対的に短いように、歯科インプラントの配置のための前に説明された方法の実施形態を素早く実施することができることを発見している。更に、歯リングを作成し、その後、リングを通じて抜き出された根を除去するステップは、ソケットシールド及びポンティックシールド技術に関連して前に説明された困難に対処する。すなわち、区分化された歯を骨から梃子で動かす必要がなく、頬側根の部分を残す困難が回避される。
【０１２８】
本発明者は、歯肉のソケットに歯リングを残すことは、経時的に歯槽の吸収を減少させまたは防止すると信じている。特に、歯リングは、歯肉のソケット内で自然歯材料のリングを提供する。これは、歯肉のソケットの歯冠部を増強する。更に、吸収は、歯材料が人体の自然材料であるので最小化する可能性が高い。
【０１２９】
本発明の実施形態ではまた、歯肉のソケット、次いで、「ソケットシールド」技術に伴うトラウマは十分小さいものとなる。これは、患者へのより少ない痛み及び不快感、並びに外科手術からのより即時的な回復をもたらす。
【０１３０】
法律に従って、構造的または方法的特徴によりおおよそ特有の言語で発明が説明されてきた。用語「備える（ｃｏｍｐｒｉｓｅｓ）」、並びに「備える（ｃｏｍｐｒｉｓｉｎｇ）」及び「から構成される（ｃｏｍｐｒｉｓｅｄ  ｏｆ）」などのその変形は、いずれかの追加の特徴を排除することなく、全体を通じて包括的な意味で使用される。発明は、本明細書で説明される手段が発明を具体化する好ましい形式を含むので、示されまたは説明された特定の特徴に限定されないことが理解されよう。したがって、発明は、当業者によって適切に解釈される添付の請求項の適切な範囲内でのその形式または修正のいずれかにおいて特許請求される。
【０１３１】
明細書及び請求項（存在する場合）の全体を通じて、文脈により別に要請される場合を除き、用語「実質的（ｓｕｂｓｔａｎｔｉａｌｌｙ）」または「約（ａｂｏｕｔ）」は、用語によって適格とされた範囲についての値に限定されないと理解されるものである。
【０１３２】
発明のいずれの実施形態も、例示的であるにすぎないことを意味しており、発明を限定することを意味しない。したがって、発明の趣旨及び範囲から逸脱することなく、様々な他の変更及び修正が行われてもよいことを認識されるべきである。
【図１Ａ】
2021513439.tif 000003
【図１Ａ．１】
2021513439.tif 000004
【図１Ｂ】
2021513439.tif 000005
【図２Ａ】
2021513439.tif 000006
【図２Ｂ】
2021513439.tif 000007
【図２Ｂ．１】
2021513439.tif 000008
【図３Ａ】
2021513439.tif 000009
【図３Ａ．１】
2021513439.tif 000010
【図３Ｂ】
2021513439.tif 000011
【図４】
2021513439.tif 000012
【図４．１】
2021513439.tif 000013
【図５Ａ】
2021513439.tif 000014
【図５Ｂ】
2021513439.tif 000015
【図５Ｃ】
2021513439.tif 000016
【図５Ｃ．１】
2021513439.tif 000017
【図５Ｄ】
2021513439.tif 000018
【図６Ａ】
2021513439.tif 000019
【図６Ａ．１】
2021513439.tif 000020
【図６Ｂ】
2021513439.tif 000021
【図７Ａ】
2021513439.tif 000022
【図７Ａ．１】
2021513439.tif 000023
【図７Ｂ】
2021513439.tif 000024
【図８Ａ】
2021513439.tif 000025
【図８Ｂ】
2021513439.tif 000026
【図８Ｃ】
2021513439.tif 000027
【図８Ｃ．１】
2021513439.tif 000028
【図９Ａ】
2021513439.tif 000029
【図９Ｂ】
2021513439.tif 000030
【図９Ｂ．１】
2021513439.tif 000031
【図９Ｃ】
2021513439.tif 000032
【図９Ｄ】
2021513439.tif 000033
【図１０】
2021513439.tif 000034
【図１０．１】
2021513439.tif 000035
【図１１Ａ】
2021513439.tif 000036
【図１１Ｂ】
2021513439.tif 000037
【図１１Ｂ．１】
2021513439.tif 000038
【図１１Ｃ】
2021513439.tif 000039
【図１２Ａ】
2021513439.tif 000040
【図１２Ｂ】
2021513439.tif 000041
【図１２Ｃ】
2021513439.tif 000042
【図１３Ａ】
2021513439.tif 000043
【図１３Ａ．１】
2021513439.tif 000044
【図１３Ｂ】
2021513439.tif 000045
【図１４Ａ】
2021513439.tif 000046
【図１４Ｂ】
2021513439.tif 000047
【図１４Ｂ．１】
2021513439.tif 000048
【図１４Ｃ】
2021513439.tif 000049
【図１５Ａ】
2021513439.tif 000050
【図１５Ｂ】
2021513439.tif 000051
【図１５Ｂ．１】
2021513439.tif 000052
【図１６】
2021513439.tif 000053
【図１６．１】
2021513439.tif 000054
【図１７Ａ】
2021513439.tif 000055
【図１７Ｂ】
2021513439.tif 000056
【図１７Ｂ．１】
2021513439.tif 000057
【図１７Ｂ．２】
2021513439.tif 000058
【図１８】
2021513439.tif 000059
【図１８．１】
2021513439.tif 000060
【図１９】
2021513439.tif 000061
【図２０】
2021513439.tif 000062
【図２０．１】
2021513439.tif 000063
【図２１】
2021513439.tif 000064
【図２２】
2021513439.tif 000065
【図２３】
2021513439.tif 000066
【図２４】
2021513439.tif 000067
【図２５】
2021513439.tif 000068
【図２６】
2021513439.tif 000069
【図２７】
2021513439.tif 000070
【図２８】
2021513439.tif 000071
【図２９】
2021513439.tif 000072
【図３０】
2021513439.tif 000073
【図３１】
2021513439.tif 000074
【図３２】
2021513439.tif 000075
【図３３】
2021513439.tif 000076
【図３４】
2021513439.tif 000077
【図３５】
2021513439.tif 000078
【図３６】
2021513439.tif 000079
【図３７】
2021513439.tif 000080
【図３８】
2021513439.tif 000081
【図３９】
2021513439.tif 000082
【図４０】
2021513439.tif 000083
【図４１】
2021513439.tif 000084
【図４２】
2021513439.tif 000085
【図４３】
2021513439.tif 000086
【図４４】
2021513439.tif 000087
【図４５】
2021513439.tif 000088
【図４６】
2021513439.tif 000089
【国際調査報告】
2021513439.tif 000090
2021513439.tif 000091
2021513439.tif 000092